(57)【要約】【課題】リアクトルを用いたフリッカ抑制装置において、変圧器やコンデンサの突入電流を少なくする。これに用いる遮断機に直列に接続する抵抗の値を大きくしてその容量を小さくし、遮断機の容量を少なくし、のが本発明の課題である。【解決手段】  コンデンサの電流とリアクトルの電流が打ち消し合うようにＳＣＲの点弧位相を設定した後、抵抗を直列に接続した遮断機を投入する。抵抗の値を１０倍にして抵抗に流れる電流を１／１０程度にする。【選択図】図１
2007174879.tif 000002
【特許請求の範囲】
【発明の詳細な説明】
【技術分野】
【０００１】  本発明は、電圧変動吸収装置（本文ではフリッカ抑制装置と記す）の変圧器の突入電流を抵抗で抑制する装置に関する。
【背景技術】
【０００２】  従来、フリッカ抑制装置では変圧器の突入電流を防止するようなものはなかった。  フリッカ抑制装置に限定せず、広く変圧器の突入電流を抵抗やインピーダンスを用いて抑制する装置としては下記のようなものがある。【特許文献１】特願平０４−２４８０３４
【特許文献２】特願２００２−２６９４６５
【発明の開示】
【発明が解決しようとする課題】
【０００３】  本発明は従来の装置に比較して抵抗の値を１０倍、抵抗の容量を１／１０倍、突入電流を１／１０倍にすることが課題である。  上記課題を解決するために、抵抗を直列に接続した遮断機を投入するまえに負荷電流をほぼ０にすることが課題である。
【課題を解決するための手段】
【０００４】  本発明では上記の課題を解決するために、コンデンサ電流と同じ大きさのリアクトル電流を流すことにより、定常状態での変圧器の負荷電流をほぼ打ち消して定常状態で抵抗に流れる電流をほぼ０にする。  これにより突入電流防止用の抵抗の値を大きくすることが出来るので、抵抗の容量とこれを電源に投入する遮断機の容量を小さくすることが出来る。
【発明の効果】
【０００５】  本発明によれば変圧器の突入電流を従来の抵抗を用いた装置に比較して、１／１０程度にすることが出来るので、抵抗の値も１０倍大きくすることが出来、したがって抵抗の容量、遮断機の容量も小さくすることが出来る。
【発明を実施するための最良の形態】
【０００６】  以下本発明の実施の形態を図１に基づいて説明する。
【実施例１】  図１はフリッカ抑制装置に用いる変圧器を三相電源に投入する場合の回路図で、１、２、は遮断機、３は変圧器の電源側巻線、４は負荷側巻線、５は抵抗、６はリアクトル、７はサイリスタ（本文ではＳＣＲと記す）８はコンデンサである。  ６の抵抗の代わりにリアクタンスや非線形抵抗等を用いても同じ効果が得られるが、実際にはほとんど抵抗を用いるので、本文では抵抗として説明する。【０００７】  抵抗５の値は遮断機１を閉じる直前に、遮断機１の電源側の電圧に比較して変圧器側の電圧が１０〜３０％低くなる値に設定される。  遮断機１を閉じる直前の、遮断機２を通る電流が１／１０になれば抵抗の値を１０倍に設定できるので、抵抗の容量、遮断機２の容量も１／１０になる。【０００８】  定常状態で遮断機２を通る電流は変圧器の負荷電流であるが、リアクトル６に流れる電流の大きさを、コンデンサ７に流れる電流と同じ大きさになるようＳＣＲ７の点弧移相を設定すると、遮断機２を通る電流は進み電流と遅れ電流が打ち消し合ってほぼ０になる。  コンデンサを入れる場所は変圧器の１次、２次、のどの巻線に入れても効果は同じである。【０００９】  遮断機２を投入した直後は過渡現象のため定常状態における点弧位相で点弧してもコンデンサ８に流れる電流を打ち消すようにはならないので、２〜３サイクル程度点弧位相を少し遅らせてその後、定常状態でリアクトル６に流れる電流の大きさと、コンデンサ７に流れる電流が等しくなるようＳＣＲ７の点弧移相を設定すると、最も安定した制御結果が得られる。
【図面の簡単な説明】
【００１０】
【図１】は本発明の実施例を示す、変圧器の突入電流を抑制する装置の回路図である。
【符号の説明】
１，２      遮断機３          電源側巻線４          負荷側巻線５          抵抗６          リアクトル７          ＳＣＲ８          コンデンサ
【図１】
2007174879.tif 000003
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
変圧器の負荷側巻線にリアクトルとサイリスタ（以下本文ではＳＣＲと記す）を直列に接続した装置によって電源の電圧変動を吸収する装置に、変圧器の励磁突入電流を抑制する装置を付加した装置において、
（１）変圧器の電源側の巻線と電源の間に遮断機を２台接続しその内の１台には抵抗を直列に接続すること。
（２）変圧器の負荷側巻線または電源側巻線と並列にコンデンサを接続すること。
２台の遮断機の内、抵抗を直列に接続したものを先に投入し、一定時間経過した後に残りの遮断機を投入する制御器を有すること。
（３）抵抗を直列に接続した遮断機を投入する前にリアクトルに流れる遅れ無効電力とコンデンサに流れる進み無効電力の絶対値が定常状態においてほぼ等しくなるようＳＣＲを通電させる制御器を有すること。
上記（１）、（２）、（３）、の装置をすべて持つことを特徴とする変圧器の負荷側巻線にリアクトルとＳＣＲを直列に接続した装置。
【手続補正書】
【提出日】平成18年4月18日(2006.4.18)
【手続補正１】
【補正対象書類名】明細書
【補正対象項目名】０００７
【補正方法】変更
【補正の内容】
【０００７】  抵抗５の値は遮断機１が開いた状態で、遮断機２を投入してから０．１秒程度経過して通過電流が定常状態になった時、抵抗にかかる電圧が電源電圧の１０〜３０％程度になる値に設定される。
遮断機２を投入し通過電流が定常状態になった時遮断機１を投入する。
遮断機１を閉じる直前の、遮断機２を通る電流が１／０になれば抵抗の値を１０倍に設定できるので、抵抗の容量、遮断機２の容量も１／１０になる。
【手続補正書】
【提出日】平成18年6月15日(2006.6.15)
【手続補正１】
【補正対象書類名】明細書
【補正対象項目名】００１０
【補正方法】変更
【補正の内容】
【００１０】  図２はコンデンサ９を変圧器の電源側巻線３に並列に接続した場合である。
この場合も図１の場合と同じく、定常状態においてリアクトル６とコンデンサ８，９に流れる無効電力が打ち消しあって、三相電源に流れる電流が最小になるようＳＣＲ７の点弧位相を設定してから遮断機２を投入し次に遮断機１を投入する。
【手続補正２】
【補正対象書類名】明細書
【補正対象項目名】００１１
【補正方法】変更
【補正の内容】
【００１１】  図３は抵抗５と遮断機１、２の接続位置を変更したもので、動作原理は上記と同じで、動作の説明は図２の場合と同じである。
【手続補正３】
【補正対象書類名】明細書
【補正対象項目名】００１２
【補正方法】変更
【補正の内容】
【００１２】
〔図１〕、〔図２〕、〔図３〕は本発明の実施例を示す、変圧器の突入電流を抑制する装置の回路図である。
【符号の説明】
１，２      遮断機
３          電源側巻線
４          負荷側巻線
５          抵抗
６          リアクトル
７          ＳＣＲ
８          コンデンサ
９          コンデンサ
【手続補正４】
【補正対象書類名】図面
【補正対象項目名】全図
【補正方法】変更
【補正の内容】
【図１】
2007174879.tif 000004
【図２】
2007174879.tif 000005
【図３】
2007174879.tif 000006